(57)【特許請求の範囲】
【請求項１】
一の部材に設けられた嵌合具の凸部形状の嵌合部を、他の部材に設けられた嵌合受け具の凹部形状の嵌合受け部に嵌挿し、両者を嵌合させた状態で、一の部材と他の部材とを固着するためのロック機構であって、
前記嵌合受け具に設けられ、前記嵌合部の嵌挿方向に沿った前記嵌合受け部の嵌合面に開口するロック孔と、
前記嵌合具の前記嵌合部の嵌挿面に形成され、当該嵌合部が前記嵌合受け部と嵌合した状態で、前記ロック孔の開口に対向する係合凹部と、
前記嵌合受け具の前記ロック孔内に孔軸方向に沿って移動可能に収納されるとともに、当該ロック孔の前記嵌合面開口から突出して前記係合凹部に係合する係合部材と、
前記嵌合受け具の前記ロック孔に収納され、前記係合部材を前記嵌合面開口から突出させる方向に常時付勢するバネ部材と、
前記ロック孔に挿入されて前記嵌合受け具に設けられ、挿入端が作業者による操作量に応じて前記ロック孔内を孔軸方向に沿って進退することにより前記バネ部材により付勢されている前記係合部材に対して当接又は離間し、前記バネ部材の付勢力に抗した前記係合部材の前記嵌合面開口側からの後退を規制して、当該挿入端が当接した前記係合部材を介して前記嵌合部の嵌挿面を押圧するネジ部材と、
前記嵌合受け具の所定位置に設けられ、前記ネジ部材の挿入端が前記係合部材と離間している状態にあっても、前記バネ部材が常時一定の付勢力をもって前記嵌合面開口から前記係合部材を突出させるように、前記バネ部材を支持するとともに、前記ネジ部材（ネジ２４）の先端側が挿通される貫通孔が形成され、当該貫通孔の内壁面はネジ切りされて前記ネジ部材の保持部を兼ねているバネ押え部と
を備えていることを特徴とするロック機構。
【請求項２】
前記バネ部材は、前記係合部材が前記係合凹部に係合していない状態で、前記係合部材を介して当該係合部材が当接する前記嵌合部の嵌挿面を弾性的に一定圧力で押圧する
ことを特徴とする請求項１に記載のロック機構。
【請求項３】
前記バネ部材は、さらに、前記係合部材が前記係合凹部と係合している状態で、前記係合部材を介して当該係合部材が当接する前記係合凹部を弾性的に一定圧力で押圧する
ことを特徴とする請求項２に記載のロック機構。
【請求項４】
前記ネジ部材は、前記係合部材が前記係合凹部と係合しているときに、前記バネ部材によって付勢されている前記係合部材に対して挿入端が当接又は離間するように、作業者の操作量に応じて前記ロック孔内を孔軸方向に沿って進退する
ことを特徴とする請求項１に記載のロック機構。
【請求項５】
前記バネ部材は、一端側が前記係合部材に当接し、他端側がバネ押え部により支持されたコイルスプリングである
ことを特徴とする請求項１に記載のロック機構。
【請求項６】
前記係合部材は、球体の一部が前記嵌合面開口を介して前記嵌合面開口から突出する硬球部材である
ことを特徴とする請求項１に記載のロック機構。
【請求項７】
前記嵌合具が設けられる一の部材は、ディスプレイからなる表示画面を含むスタンド式薄型テレビの本体部であって、前記嵌合受け具が設けられる他の部材は、前記本体部を支持するスタンド式薄型テレビのスタンド部である
ことを特徴とする請求項１に記載のロック機構。
【請求項８】
被支持部材に設けられた嵌合具の凸部形状からなる嵌合部を、自身に設けられた嵌合受け具の凹部形状からなる嵌合受け部に嵌挿し、両者を嵌合させた状態で、被支持部材を支持するスタンドであって、
前記嵌合受け具に設けられ、前記嵌合部の嵌挿方向に沿った前記嵌合受け部の嵌合面に開口するロック孔と、
前記嵌合具の前記嵌合部の嵌挿面に形成され、当該嵌合部が前記嵌合受け部と嵌合した状態で、前記ロック孔の開口に対向する係合凹部と、
前記嵌合受け具の前記ロック孔内に孔軸方向に沿って移動可能に収納されるとともに、当該ロック孔の前記嵌合面開口から突出して前記係合凹部に係合する係合部材と、
前記嵌合受け具の前記ロック孔に収納され、前記係合部材を前記嵌合面開口から突出させる方向に常時付勢するバネ部材と、
前記ロック孔に挿入されて前記嵌合受け具に設けられ、挿入端が作業者による操作量に応じて前記ロック孔内を孔軸方向に沿って進退することにより前記バネ部材により付勢されている前記係合部材に対して当接又は離間し、前記バネ部材の付勢力に抗した前記係合部材の前記嵌合面開口側からの後退を規制して、当該挿入端が当接した前記係合部材を介して前記嵌合部の嵌挿面を押圧するネジ部材と、
前記嵌合受け具の所定位置に設けられ、前記ネジ部材の挿入端が前記係合部材と離間している状態にあっても、前記バネ部材が常時一定の付勢力をもって前記嵌合面開口から前記係合部材を突出させるように、前記バネ部材を支持するとともに、前記ネジ部材（ネジ２４）の先端側が挿通される貫通孔が形成され、当該貫通孔の内壁面はネジ切りされて前記ネジ部材（ネジ２４）の保持部を兼ねているバネ押え部と
を備えていることを特徴とするスタンド。
【請求項９】
本体部に設けられた嵌合具の凸部形状の嵌合部を、該本体部を支持するためのスタンド部に設けられた嵌合受け具の凹部形状の嵌合受け部に嵌挿し、両者を嵌合させた状態で固着することによって構成されるスタンド式装置であって、
前記嵌合受け具に設けられ、前記嵌合部の嵌挿方向に沿った前記嵌合受け部の嵌合面に開口するロック孔と、
前記嵌合具の前記嵌合部の嵌挿面に形成され、当該嵌合部が前記嵌合受け部と嵌合した状態で、前記ロック孔の開口に対向する係合凹部と、
前記嵌合受け具の前記ロック孔内に孔軸方向に沿って移動可能に収納されるとともに、当該ロック孔の前記嵌合面開口から突出して前記係合凹部に係合する係合部材と、
前記嵌合受け具の前記ロック孔に収納され、前記係合部材を前記嵌合面開口から突出させる方向に常時付勢するバネ部材と、
前記ロック孔に挿入されて前記嵌合受け具に設けられ、挿入端が作業者による操作量に応じて前記ロック孔内を孔軸方向に沿って進退することにより前記バネ部材により付勢されている前記係合部材に対して当接又は離間し、前記バネ部材の付勢力に抗した前記係合部材の前記嵌合面開口側からの後退を規制して、当該挿入端が当接した前記係合部材を介して前記嵌合部の嵌挿面を押圧するネジ部材と、
前記嵌合受け具の所定位置に設けられ、前記ネジ部材の挿入端が前記係合部材と離間している状態にあっても、前記バネ部材が常時一定の付勢力をもって前記嵌合面開口から前記係合部材を突出させるように、前記バネ部材を支持するとともに、前記ネジ部材（ネジ２４）の先端側が挿通される貫通孔が形成され、当該貫通孔の内壁面はネジ切りされて前記ネジ部材（ネジ２４）の保持部を兼ねているバネ押え部と
を備えていることを特徴とするスタンド式装置。
【請求項１０】
請求項１に記載のロック機構を用いて、一の部材と他の部材とを固着するためのロック方法であって、
前記嵌合部を前記嵌合受け部に嵌挿するに際し、前記ネジ部材を操作して、前記嵌合部の前記係合凹部以外の嵌挿面との当接によって、前記係合部材がバネ部材の付勢力に抗して前記嵌合面開口側から前記ロック孔内を後退し得るように、前記ネジ部材の挿入端を前記係合部材から離間させるステップ、
前記嵌合部を前記嵌合受け部に嵌挿して、前記係合部材を前記係合凹部に係合させ、一の部材を他の部材に対して仮固定するステップ、
前記係合部材が前記係合凹部に係合している状態で、前記ネジ部材を操作して、前記ネジ部材を前記嵌合面開口側に前進させ、挿入端を前記係合部材に当接させ、当該係合部材を介して前記係合凹部を押圧して、一の部材を他の部材に対して本固定するステップ
を有することを特徴とするロック方法。
【発明の詳細な説明】
【０００１】
【発明の属する技術分野】
本発明は、部材同士を機械的にロックする機構、ロック機構を有するスタンド及びスタンド式表示装置に関するものである。
【０００２】
【従来の技術】
一般的に、スタンド式の薄型液晶テレビ、照明器具、音響機器などでは、本体及びスタンド部分の各部材を個別に製造した後、これらの部材を嵌め合わせてネジ止めなどにより固定するような構成となっている。
以下に、図９〜図１４に示す従来のスタンド式薄型テレビを例として、従来の部材間のロック機構について詳細に説明する。
【０００３】
図９、図１０及び図１１は、それぞれ従来のスタンド式薄型テレビの正面図、側面図及び上面図である。これらの図に示すスタンド式薄型テレビは組み立て後のものであり、表示画面等を有する本体部101、スタンド支柱102、スタンドベース103及び連結体104から構成されている。
【０００４】
次に、図１２〜１４を参照しながら、このスタンド式薄型テレビの製造時における組み立て方法を説明する。図１２は、スタンド式薄型テレビの組み立ての一工程を示す側面図である。まず、本体部101と連結体104とはビスなどで取り付けられて一体化される。また、スタンド支柱102とスタンドベース103もビスなどで取り付けられて一体化される。次に、図１２に示すように、連結体104とスタンド支柱102とが嵌合されて締め付け固定される。
【０００５】
上記の連結体104とスタンド支柱102との嵌合について、図１３及び図１４を参照しながらさらに詳しく説明する。図１３はこれらの部材を嵌合する前の各部材の側面図であり、図１４は嵌合した後の側面図であり、両図とも特に嵌合部分を切り欠いて示している。図１３及び図１４に示すように、連結体104は嵌合部分において嵌合金具105を有し、スタンド支柱102は嵌合部分において嵌合受け金具106を有しており、これらの金具はそれぞれ連結体104及びスタンド支柱102に取り付けられて一体化されている。嵌合金具105及び嵌合受け金具106は互いに係合するような形状に作られている。また、嵌合金具105には、ボルト107と螺合する溝108が形成されている。さらに、嵌合受け金具106底部には、ボルト107を軸方向に貫通させるための孔が形成されている。
【０００６】
連結体104とスタンド支柱102とを取り付けるために、まず、連結体104の嵌合金具105をスタンド支柱102の嵌合受け金具106に嵌合する。ここで、スタンド支柱102及びスタンドベース103は中空となっており、これらの部材の内部空間は連通するような構造となっているものとする。図１４に示すように、スタンドベース103の下側より、ボルト107を嵌合受け金具106の孔に貫通させ、さらに嵌合金具105の溝108と螺合させて締めることにより、嵌合金具105及び嵌合受け金具106は締め付け固定される。このようにして、連結体104及びスタンド支柱102は取り付けられる。
【０００７】
ところで、上記のようにスタンド式薄型テレビを組み立てる際に、スタンド支柱102と連結体104とを取り付けるためには、本体部101及び連結体104を上下逆さにしてからスタンド支柱102を嵌合させた後、スタンドベース103底面側よりボルト107をネジ止めする必要があった。また、上記の構成では連結体104とスタンド支柱102とを仮ロック又は仮固定する方法がないため、組み立ての作業効率が悪いという問題点を有していた。
【０００８】
このような連結体104とスタンド支柱102とを仮固定する機構として、それぞれに、半球面形の凹部と、これに部分的に係合する形状の凸部又は硬球とを備える仮固定機構が知られている。特許文献１には、このような仮固定機構を利用したスタンド型扇風機が開示されている。特許文献１の図１に示されているスタンド型扇風機は、扇風機本体のインナーパイプがスタンドベースの穴に嵌合して支持される構造を有している。
【０００９】
インナーパイプには複数個の凹部が形成されており、スタンドベースの穴の内部壁には該凹部と係合する半球面形の表面を有する凸部が形成されている。凸部は後方においてバネにより押圧されているため、係合しているインナーパイプの凹部を一定の圧力で押圧し、これにより、インナーパイプが当該位置で保持されるようになっている。バネによる押圧力を適当に調整して、一定の力で扇風機本体を引き上げたときにインナーパイプがスタンドベースの穴から外れるようにすることができる。
【００１０】
【特許文献１】
特開昭62-17495号公報（特に図１）。
【００１１】
【発明が解決しようとする課題】
上記のスタンド式薄型テレビにおいて、このような仮固定機構をスタンド支柱102及び連結体104に備えることにより、組み立て工程の作業効率を向上することができる。しかしながら、この仮固定機構ではスタンド支柱102及び連結体104を完全に固着することはできないので、さらに、上記のボルト107による本固定が必要である。
【００１２】
一方で、このようなスタンド式薄型テレビは、表示画面を含む本体部101が薄く作られているものの、本体部が前方あるいは後方に倒れることを防止するようスタンドベース103が水平方向に広く張り出しているために、組み立て完成品として販売用に梱包する場合には、梱包スペースが大きくなってしまうという問題点を有している。
【００１３】
スタンド式薄型テレビの梱包をコンパクト化するためには、組み立て完成品として販売せず、複数の部材に分解した状態で梱包し、これを購入したユーザ自身が組み立てるようにすることが考えられる。しかしながら、上記の通り、連結体104及びスタンド支柱102の取り付けにおいては、比較的重い本体部101及び連結体104を上下逆さにする作業が必要となるが、このような作業はユーザにとって煩雑であるのみならず、衝撃に弱い液晶ディスプレイ等を組み立て作業中に傷付けてしまう可能性もある。また、スタンド支柱102と連結体104との固着においては、スタンド支柱102の内部からボルト107をネジ止めするための特殊な工具が必要となるため、ユーザにとって組み立て作業は困難で煩わしいものとなる。
【００１４】
尚、上記のような問題点は、組み立て式の構造を有するあらゆる機材、例えば、電気スタンド等の照明器具、スピーカ等の音響機器、スタンド式扇風機等の家電製品などにおいても共通するものである。
そこで、このような実情に鑑みて、本発明は、部材同士を容易に着脱及び固定できるようなロック機構を提供することにより、上記のような機材の分割梱包を実施しやすくするものである。
【００１５】
また、本発明は、上記のロック機構においてさらに、簡単な操作で部材同士を仮固定及び本固定することができるような機構を提供するものである。
さらに、本発明は、部材同士を容易に着脱できるようなロック機構を有することにより本体部との着脱が容易なスタンドを提供するものである。
また、本発明は、前記スタンドを有することにより本体部との着脱が容易なスタンド式装置を提供するものである。
【００１６】
【課題を解決するための手段】
上記課題に鑑みて鋭意研究の結果、本発明者は、以下に示すようなロック機構を提供することにより、上記課題を解決することができることに想到した。
すなわち、本発明は、一の部材に設けられた嵌合具の凸部形状の嵌合部を、他の部材に設けられた嵌合受け具の凹部形状の嵌合受け部に嵌挿し、両者を嵌合させた状態で、一の部材と他の部材とを固着するためのロック機構であって、嵌合受け具に設けられ、嵌合部の嵌挿方向に沿った嵌合受け部の嵌合面に開口するロック孔と、嵌合具の嵌合部の嵌挿面に形成され、当該嵌合部が記嵌合受け部と嵌合した状態で、ロック孔の開口に対向する係合凹部と、嵌合受け具のロック孔内に孔軸方向に沿って移動可能に収納されるとともに、当該ロック孔の嵌合面開口から突出して係合凹部に係合する係合部材と、嵌合受け具のロック孔に収納され、係合部材を嵌合面開口から突出させる方向に常時付勢するバネ部材と、ロック孔に挿入されて嵌合受け具に設けられ、挿入端が作業者による操作量に応じてロック孔内を孔軸方向に沿って進退することによりバネ部材により付勢されている係合部材に対して当接又は離間し、バネ部材の付勢力に抗した係合部材の嵌合面開口側からの後退を規制して、当該挿入端が当接した係合部材を介して嵌合部の嵌挿面を押圧するネジ部材と、嵌合受け具の所定位置に設けられ、ネジ部材の挿入端が係合部材と離間している状態にあっても、バネ部材が常時一定の付勢力をもって嵌合面開口から係合部材を突出させるように、バネ部材を支持するとともに、ネジ部材の先端側が挿通される貫通孔が形成され、当該貫通孔の内壁面はネジ切りされてネジ部材の保持部を兼ねているバネ押え部とを備えていることを特徴とするものである。
このような構成によれば、ユーザが特殊な工具等を用いる必要なく、一の部材と他の部材とを容易に固着することが可能となる。
【００１７】
本発明において、係合部材はほぼ球面形の表面を有しており、係合凹部は該球面形の表面と係合する形状の表面を有していることを特徴とする。
本発明のロック機構は、また、バネ部材は、係合部材が係合凹部に係合していない状態で、係合部材を介して当該係合部材が当接する嵌合部の嵌挿面を弾性的に一定圧力で押圧すること特徴とする。また、バネ部材は、さらに、係合部材が係合凹部と係合している状態で、係合部材を介して当該係合部材が当接する係合凹部を弾性的に一定圧力で押圧することを特徴とする。
【００１８】
ここで、弾性的に押圧するバネ部材は仮固定のためのものであり、作業者による操作量に応じて非弾性的に押圧するネジ部材は本固定のためのものである。
また、本発明のロック機構では、係合部材が係合凹部に対してバネ部材によって一定圧力で弾性的に押圧されているときに、前記一定圧力以上の力を加えることにより、係合部材と係合凹部との係合（すなわち仮固定）を解除することができることを特徴とする。
【００１９】
本発明は、また、ネジ部材は、ロック孔内に孔軸方向に沿って移動可能な係合部材が係合凹部と係合しているときに、バネ部材によって付勢されている係合部材に対して挿入端が当接又は離間するように、作業者の操作量に応じてロック孔内を孔軸方向に沿って進退することを特徴とする。さらに、係合部材は、球体の一部が嵌合面開口を介して嵌合面開口から突出する硬球部材であることを特徴とする。
【００２０】
本発明のロック機構では、バネ部材は、さらに、係合部材が係合凹部と係合している状態で、係合部材を介して当該係合部材が当接する係合凹部を弾性的に一定圧力で押圧することを特徴とする。
また、本発明のロック機構では、係合部材と係合凹部とが係合した状態において、ネジ部材を用いて、係合部材を係合凹部に対して固定することができることを特徴とする。
【００２１】
本発明のロック機構において、バネ部材は、コイルスプリングであることを特徴とする。また、ネジ部材は、ネジであることを特徴とする。
本発明は、また、このような構成からなるロック機構を用いて、一の部材と他の部材とを固着するためのロック方法であって、嵌合部を嵌合受け部に嵌挿するに際し、ネジ部材を操作して、嵌合部の係合凹部以外の嵌挿面との当接によって、係合部材がバネ部材の付勢力に抗して嵌合面開口側からロック孔内を後退し得るように、ネジ部材の挿入端を係合部材から離間させるステップ、嵌合部を嵌合受け部に嵌挿して、係合部材を係合凹部に係合させ、一の部材を他の部材に対して仮固定するステップ、係合部材が係合凹部に係合している状態で、ネジ部材を操作して、ネジ部材を嵌合面開口側に前進させ、挿入端を係合部材に当接させ、当該係合部材を介して係合凹部を押圧して、一の部材を他の部材に対して本固定するステップ、を有することを特徴とする。
【００２２】
本発明は、また、本体部を支えるためのスタンドであって、本体部固定側とスタンドベース側とを前記ロック機構により固着するように構成されたスタンドを提供するものである。
このような構成よれば、簡単な操作でスタンドを本体部に着脱することが可能となる。
【００２３】
本発明は、さらに、本体部と該本体部を支えるためのスタンド部を有するスタンド式装置であって、スタンド部は前記スタンドを有することを特徴とするスタンド式装置を提供するものである。
このような構成によれば、本体部とスタンド部とを簡単な操作で着脱することが可能となる。
本発明のスタンド式装置において、前記本体部は、液晶ディスプレイ又はプラズマディスプレイからなる表示画面を有する装置であることを特徴とする。
【００２４】
【発明の実施の形態】
以下、添付図面を参照しながら、本発明の実施の形態を詳細に説明する。
図１〜図８は本発明の一実施形態を示す図であり、これらの図中、同一の符号を付したものは同一の構成部分を表わしている。
本実施形態のロック機構は、スタンド式薄型テレビの本体部及びスタンド部を固着するためのロック機構である。
【００２５】
図１及び図２は、本実施形態のロック機構を用いたスタンド式薄型テレビの構成を概略的に示す図である。図１は、組み立て前のスタンド式薄型テレビの側面図であり、図２は、組み立て後のスタンド式薄型テレビの側面図である。これらの図において、本実施形態のスタンド式薄型テレビは、液晶ディスプレイ又はプラズマディスプレイ等の薄型ディスプレイからなる表示画面等を含む本体部11と、本体部１１が接地しないよう支える所定の長さを有する棒状のスタンド支柱12と、スタンド支柱１２に装着され薄型テレビを倒れないように支えるスタンドベース13と、本体部１１及びスタンド支柱１２に固着される連結体14とから構成されている。スタンドベース１３は、スタンド支柱１２や、連結部１４を介してスタンド支柱１２に固着された本体部１１の転倒を防止するため、本体部１１の厚みよりも前後方向に長く形成されるものである。
【００２６】
本実施形態のスタンド式薄型テレビの組み立ては、スタンド支柱12と連結体14との固着を除いては、図９〜図１４に示した従来技術とほぼ同様にして行う。すなわち、本体部11と連結体14とをビス止めなどにより固着し、スタンド支柱12とスタンドベース13とをビス止めなどにより固着した後、スタンド支柱12と連結体14とを固着する。スタンド支柱12及び連結体14は、上記した従来技術同様に、互いに嵌合する一対の金具をそれぞれ有しているが、これについては以下に詳しく説明する。
【００２７】
図３は、スタンド支柱12及び連結体14の固着部分を詳細に示す側面図であり、金具の嵌合部分を一部切り欠いて示している。図３において、連結体14は嵌合金具15を有しており、スタンド支柱12は嵌合受け金具16を有している。嵌合金具15は、円筒形の基部15aと、基部15aよりも小さい径の半円筒形に形成された先端部15bとを有している。嵌合受け金具16は、円筒形の凹部16aと、凹部16aよりさらに深い位置で凹部16aよりも小さい径の半円筒形の凹部16bとを有している。凹部16a及び凹部16bは、それぞれ、嵌合金具15の基部15a及び先端部15bとほぼ同形状で、これらよりも僅かに大きい寸法を有している。これにより、嵌合金具15及び先端部15bは、それぞれ、凹部16a及び凹部16bと係合するようになっている。
【００２８】
また、嵌合金具15の先端部15bには、先端部15bの平らな側面にほぼ直交する方向に貫通する円筒形の嵌合孔17を形成している。但し、嵌合孔17は必ずしも嵌合金具15の先端部15bを貫通している必要はない。例えば、嵌合孔17に代えて、先端部15bの平らな側面に所定寸法の球面状の凹部を形成してもよい。
嵌合受け金具16は、嵌合金具15を固定するためのロック機構を有している。図３において、嵌合受け金具16は、凹部16bの平らな内側側面にほぼ直交する方向で、凹部16bの平らな内側側面から嵌合受け金具16の外部側面まで貫通する円筒形のロック孔20を有している。
【００２９】
ロック孔20内には、硬球21及び圧縮バネ22を収納している。本実施形態では、硬球21は、ほぼ球状の金属又はプラスチック等の硬い材料からなり、ロック孔20よりも僅かに小さい径を有するので、ロック孔20内を移動することができる。また、圧縮バネ22は、硬球21よりも径が小さく、所定の弾性力を有する金属製のコイルスプリングであるが、同様な形状及び弾性力を有する他の種類の弾性部材を用いてもよい。
ロック孔20の凹部16b側の開口端付近は、ロック孔20内の他の部分に比べて径をやや小さくしている。具体的には、硬球21の径よりもやや小さい寸法に形成しており、硬球21をロック孔20内に係留するようになっている。
【００３０】
ロック孔20の嵌合受け金具16外部側面側の開口端には、中央に貫通孔を有するバネ押え金具23が固定されている。このバネ押え金具23の貫通孔の内壁面は、ネジ24と係合するようネジ切りされている。このバネ押え金具23に係合させて用いるネジ24は、ネジ部の径が圧縮バネ22の径よりも小さく、ネジ部が圧縮バネ22の内側を貫通するようになっている。また、ネジ24は、締めたときに先端が硬球21の表面にまで達し、さらに締めると硬球21を凹部16b側に押圧するよう、十分な長さを有するものとする。また、バネ押え金具23は、ネジ24とともに回転しないように、ツメ止め又はネジ止め等により嵌合受け金具16の外部側面上に固定されている。
【００３１】
また、本実施形態では、図３に示すように、スタンド支柱12外部からネジ24を調整することができるように、スタンド支柱12側面のロック孔20開口端に近接する部分にネジ止め用孔30を形成している。
ここで、図３はスタンド支柱12及び連結体14の取り付け前の状態を示す図であるが、この状態において、ロック孔20内に硬球21とともに係留されている圧縮バネ22は、その両端において常に硬球21及びバネ押さえ金具23を押圧している。このとき、硬球21は圧縮バネ22により押圧されて、その一部がロック孔20の凹部16b側の開口端から突出する。
次に、本実施形態のロック機構により、スタンド支柱12と連結体14とを嵌合し固着する際の動作を、図４〜図６を参照しながら説明する。
【００３２】
図４は、連結体14の嵌合金具15をスタンド支柱12の嵌合受け金具16に嵌合するときの各構成部分の動作を示す側面図であり、金具の嵌合部分を一部切り欠いて示している。嵌合金具15を嵌合受け金具16に嵌合すると、嵌合金具15の先端部15bが硬球21の突出している部分と接触する。このとき、硬球21は圧縮バネ22により所定の圧力で押圧されているので、一定以上の力で連結体14を下方向に押し込むと、嵌合金具15の先端部15bが硬球21をロック孔20内に後退させるとともに、圧縮バネ22を収縮させる。この所定の圧力は、人が手作業で上記の嵌合を行うときにかける荷重の範囲内で適宜選択することができる。
【００３３】
連結体14をさらに下方向に押し下げてゆき、嵌合金具15の先端部15bに形成された嵌合孔17がロック孔20と同じほぼ高さになるようにする。図５は、このときの各構成部分の状態を示す側面図であり、金具の嵌合部分を一部切り欠いて示している。この状態において、嵌合孔17とロック孔20とが連通するので、硬球21は圧縮バネ22に押圧されて再びロック孔20から突出して、その一部が嵌合孔17内に係合する。尚、嵌合孔17は硬球21よりも小さい径を有しているので、硬球21のごく一部のみが嵌合孔17内に係合するが、他の部分はロック孔20内に留まる。図５では、嵌合孔17の中心軸とロック孔20の中心軸とがほぼ一致しており、このとき硬球21と嵌合孔17とが完全に係合した状態となる。
【００３４】
この硬球21と嵌合孔17とが完全に係合した状態で、圧縮バネ22は硬球21を嵌合孔17に一定荷重で押圧しているので、スタンド支柱12及び連結体14はこの押圧力によりロックされる。上記のように、圧縮バネ22は、人が手作業で上記の嵌合を行うときにかける程度の荷重で硬球21を押圧しているので、連結体14を一定以上の荷重で上方向に引っ張ると、上記同様に、硬球21がロック孔20内に後退してロックがはずれるようになっている。
【００３５】
上記のロック機構によれば、スタンド支柱12と連結体14とを、所定のロック力でスナップ嵌めすることが可能となる。これにより、スタンド式薄型テレビを製造する際に、あるいはユーザが組み立てる際に、スタンド支柱12と連結体14とを仮固定することを可能にするものである。
さらに、図５及び図６を参照して、本実施形態のロック機構により、スタンド支柱12と連結体14とを本固定するための機構を説明する。
【００３６】
図５に示す仮固定状態では、ネジ24はバネ押え金具23に仮ネジ止めされている。ネジ止め用孔30を通じて、ドライバなどの工具によりネジ24を締めていくと、やがてその先端は硬球21に接触する。このとき、わずかにネジ24を固く締めると、ネジ24の先端は、硬球21を嵌合金具15の嵌合孔17に押圧する。図６は、このようにネジ24を固く締めて硬球21を押圧している状態を示す図である。この押圧は、上記の圧縮バネ22による弾性的な押圧とは違って、非弾性的な押圧であるので、硬球21は嵌合孔17に固く係合し、嵌合金具15は嵌合受け金具16に固くロックされる。この状態では、連結体14をスタンド支柱12から引っ張っても外れないようになっており、これがスタンド支柱12と連結体14とを本固定した状態である。
一方で、ネジ24を緩めると、スタンド支柱12及び連結体14は再び、圧縮バネ22により弾性的にロックされた仮固定状態となり、取り外しが可能となる。
【００３７】
次に、本実施形態のロック機構を有するスタンド式薄型テレビの梱包について説明する。図７は、液晶ディスプレイ又はプラズマディスプレイ等の薄型ディスプレイからなる表示画面を有するスタンド式薄型テレビの一梱包例を示す図である。この例では、スタンド式薄型テレビを、本体部11及び連結体14と、スタンド支柱12と、スタンドベース13とに分解して梱包している。尚、本体部11と連結体14とは、製造時にあらかじめビス止め固定されている。
【００３８】
このスタンド式薄型テレビを開梱して組み立てる際には、まず、スタンド支柱12とスタンドベース13とをビス止めなどにより固着する。次に、本体部11及び連結体14と、スタンド支柱12及びスタンドベース13とを、上記のロック機構により固着する。これらを固着するには、例えば、スタンド支柱12及びスタンドベース13を床に置いて立たせた後に、本体部11及び連結体14を上方から取り付ければよい。連結体14の嵌合金具15をスタンド支柱12の嵌合受け金具16に勘合させて取り付けることができる。
【００３９】
上記の本実施形態のロック機構によれば、この状態で、本体部11及び連結体14とスタンド支柱12及びスタンドベース13とは、仮固定されている。この後さらに、スタンド支柱12に備えられたロック機構のネジ24をドライバ等で調整することにより、これらを本固定することができる。
【００４０】
以上説明したように、本実施形態のロック機構を有するスタンド式薄型テレビは、非常に簡易な構造で、連結体14とスタンド支柱12とを仮固定及び本固定することができる。このため、スタンド式薄型テレビを分割した状態で梱包して販売しても、ユーザは簡単な作業でこれを組み立てることが可能である。また、本実施形態のロック機構では、ユーザが本固定を簡単に解除することができるので、再び分解してコンパクトに収納することが可能であり、持ち運び等の際にも便利である。また、このロック機構は、製造工場等においても、様々な部材同士の仮固定及び本固定を行う作業に応用すれば、作業効率を向上することができる。
【００４１】
また、本実施形態のロック機構を有するスタンド式薄型テレビは、梱包がコンパクトになるという利点を有する。図８は、従来の組み立て完成品の梱包例を示す図である。図８に示す梱包例と比較すると、図７に示す本実施形態のロック機構を有するスタンド式薄型テレビの梱包は、本実施形態のロック機構により分解梱包が可能となったことにより、梱包容器内のデッドスペースを減少させ、従来よりも大幅にコンパクトになっていることが明らかである。
尚、図７に示す本実施形態のロック機構を有するスタンド式薄型テレビの梱包は一例に過ぎず、これ以外にも様々な梱包レイアウトにより、梱包をコンパクト化することができる。
【００４２】
上記の実施形態では、スタンド式薄型テレビのスタンド支柱12及び連結体14の固着において、特にスタンド支柱12側の嵌着部分に本発明のロック機構を備え付けているが、他の部分にも同様に本発明のロック機構を備え付けることが可能である。例えば、スタンド支柱12及び連結体14の固着において、連結体14側の嵌着部分に本発明のロック機構を備え付けることが可能である。また、上記の実施形態では、スタンド支柱12とスタンドベース13とをビス止め等により固着するとしているが、これらの固着に関しても、本発明のロック機構を応用することができる。
【００４３】
また、特開昭62-17495号公報に開示されているスタンド式扇風機のように、スタンド式薄型テレビのスタンド支柱12が連結体14を2以上の位置で保持することができるようにしてもよい。これは、連結体14の嵌合金具15に複数の嵌合孔17を任意の位置に設けることにより実施することができる。
【００４４】
以上、スタンド式薄型テレビにおける、スタンド支柱と連結体との固着を例示して、本実施形態のロック機構を説明したが、本発明のロック機構は上記の実施形態に限定されるものではない。スタンド式薄型テレビ以外にも、例えば、電気スタンド等の照明器具、スタンド式スピーカ等の音響機器、スタンド式扇風機等の家電製品、その他様々なスタンド式機材に応用することが可能である。本発明のロック機構をこれらの機材に応用すれば、上記同様に、簡易な構造で、ユーザが簡単な作業で組み立て、仮固定及び本固定することが可能な組み立て式機材を提供することができる。また、販売、収納、持ち運び等の際には、簡単に分解してコンパクトに梱包することが可能な組み立て式機材を提供することができる。
【００４５】
また、本発明のロック機構は、上記の各種スタンド式機材だけではなく、その他あらゆる部材同士の固着にも応用可能である。本発明のロック機構によれば、これら部材同士を簡単に仮固定及び本固定することができるので、あらゆる機器又は機械の製造工程においてこれを応用することにより、作業効率の向上を図ることができる。また、組み立て式のあらゆる機器又は機材に応用すれば、これらを簡単に分解梱包して、販売、収納、持ち運び等することができるようになる。
【００４６】
【発明の効果】
以上、説明したように、本発明のロック機構及びロック方法によれば、薄型テレビ等のスタンド式機材又はその他の機材において、簡単な構造で部材同士を仮固定及び本固定することが可能となる。
【図面の簡単な説明】
【図１】本発明のロック機構を用いたスタンド式薄型テレビの組み立て前の構成を概略的に示す図である。
【図２】本発明のロック機構を用いたスタンド式薄型テレビの組み立て後の構成を概略的に示す図である。
【図３】本発明のロック機構を用いたスタンド式薄型テレビのスタンド支柱及び連結体の固着部分を詳細に示す側面断面図である。
【図４】本発明のロック機構を用いたスタンド式薄型テレビにおいて、スタンド支柱と連結体とを嵌合する際の各構成部分の動作を示す図である。
【図５】本発明のロック機構を用いたスタンド式薄型テレビにおいて、スタンド支柱と連結体とを仮固定した状態を示す図である。
【図６】本発明のロック機構を用いたスタンド式薄型テレビにおいて、スタンド支柱と連結体とを本固定した状態を示す図である。
【図７】本発明のロック機構を用いたスタンド式薄型テレビの梱包例を示す図である。
【図８】従来の組み立て済のスタンド式薄型テレビの梱包例を示す図である。
【図９】従来のスタンド式薄型テレビの正面図である。
【図１０】従来のスタンド式薄型テレビの側面図である。
【図１１】従来のスタンド式薄型テレビの上面図である。
【図１２】従来のスタンド式薄型テレビの組み立ての一工程を示す側面図である。
【図１３】従来のスタンド式薄型テレビにおいて、連結体とスタンド支柱とを固着する前の状態を示す、一部切り欠き側面図である。
【図１４】従来のスタンド式薄型テレビにおいて、連結体とスタンド支柱とを固着した後の状態を示す、一部切り欠き側面図である。
【符号の説明】
11    本体部
12    スタンド支柱
13    スタンドベース
14    連結体
15    嵌合金具
15a    基部
15b    先端部
16    嵌合受け金具
16a    凹部
16b    凹部
17    嵌合孔
20    ロック孔
21    硬球
22    圧縮バネ
23    バネ押え金具
24    ネジ
30    ネジ止め用孔
101    本体部
102    スタンド支柱
103    スタンドベース
104    連結体
105    嵌合金具
106    嵌合受け金具
107    ボルト
108    溝
【図１】
0004314011.tif 000002
【図２】
0004314011.tif 000003
【図３】
0004314011.tif 000004
【図４】
0004314011.tif 000005
【図５】
0004314011.tif 000006
【図６】
0004314011.tif 000007
【図７】
0004314011.tif 000008
【図８】
0004314011.tif 000009
【図９】
0004314011.tif 000010
【図１０】
0004314011.tif 000011
【図１１】
0004314011.tif 000012
【図１２】
0004314011.tif 000013
【図１３】
0004314011.tif 000014
【図１４】
0004314011.tif 000015